(57)【要約】      （修正有）【課題】男女共用の洋式便器において男性が放尿する際の放尿が便器周壁や床面に飛散するのを防止する放尿飛散防止具を提供する。【解決手段】便器内に収まる大きさの放尿受皿は、後端側に受部を、前端側に排出部を形成しており、さらに両側端側に放尿の流出を阻止する起立部を形成しており、さらに受部の一側にまたは両側に把手部を形成している。【選択図】図１
0003167784.tif 000002
【実用新案登録請求の範囲】
【請求項１】
便器内に収まる大きさの放尿受皿は、後端側に受部を、前端側に排出部を形成しており、さらに両側端側に放尿の流出を阻止する起立部を形成しており、さらに受部の一側にまたは両側に把手部を形成していることを特徴とする放尿飛散防止具。
【請求項２】
把手部は放尿受皿が便器の上底部に位置している状態で、便器の周側上面部に支持される支持部を形成しており、この状態で放尿受皿が便器の周壁から流出する洗浄水によって洗浄されるとともに、便座が開閉可能に構成されていることを特徴とする請求項１記載の放尿飛散防止具。
【請求項３】
放尿受皿は前端側の排出部が巾狭に、後端側の受部が巾広に形成していることを特徴とする請求項１又は請求項２記載の放尿飛散防止具。
【請求項４】
放尿受皿の排出部に排出口を下方に向けて形成していることを特徴とする請求項１又は請求項２又は請求項３記載の放尿飛散防止具。
【考案の詳細な説明】
【技術分野】
【０００１】本考案は男女共用の洋式便器、以下便器という、において男性が放尿する際の放尿が便器周壁や床面に飛散するのを防止する放尿飛散防止具に関する。
【背景技術】
【０００２】従来便器に放尿飛散防止具を取り付ける構成は公知である。例示すれば特許文献１、実用新案登録第３１４１４９６号公報に開示されている。
特許文献１は、便器の周側上面にその径に沿う大きさの筒状の飛散防止カバーを立設させる構造である。
【考案の概要】
【考案が解決しようとする課題】
【０００３】特許文献１は放尿時の便器外への飛散は、便器に直に放尿する場合に比べて緩和されるが、飛散防止カバー自体の内壁に放尿が飛散して付着し、その状態で使用されるために尿臭が常時漂い、不衛生である。また飛散防止カバー自体が便器の大きさを有しており洗浄作業が面倒である。
本考案は上記の従来の問題点を解消した、しかも大人、中人、小人が容易に使用できる放尿飛散防止具を提供する。
【課題を解決するための手段】
【０００４】本考案はつぎの特徴を備えている。
その一は「便器内に収まる大きさの放尿受皿は、後端側に受部を、前端側に排出部を形成しており、さらに両側端側に放尿の流出を阻止する起立部を形成しており、さらに受部の一側にまたは両側に把手部を形成していることを特徴とする放尿飛散防止具」である。【０００５】その二は「上記その一の構成において、把手部は放尿受皿が便器の上底部に位置している状態で、便器の周側上面部に支持される支持部を形成しており、この状態で放尿受皿が便器の周壁から流出する洗浄水によって洗浄されるとともに、便座が開閉可能に構成されていることを特徴とする放尿飛散防止具」である。【０００６】その三は「上記その一、その二の構成において、放尿受皿は前端側の排出部が巾狭に、後端側の受部が巾広に形成していることを特徴とする放尿飛散防止具。」である。【０００７】その四は「上記その一、その二、その三の構成において、放尿受皿の排出部に排出口を下方に向けて形成していることを特徴とする放尿飛散防止具」である。
【考案の効果】
【０００８】本考案の放尿飛散防止具においては、放尿時には放尿受皿を把手部で把持して、放尿口つまり男性器の先端を放尿受皿の後端側上方に近づけて位置せしめて、放尿受皿に向かって放尿すれば、放尿は放尿受皿の受部で受け、前端側の排出部から便器内に落下する。それゆえに放尿の残部しずくが便器後方の床面に滴下することが解消される。又放尿は放尿受皿で一旦受けてから便器内に落下するので、放尿の放出圧力は分散されて下方に落下し、便器外や便器周側に飛散しない。【０００９】放尿後つまり非放尿時には洗浄タンクの手洗部で放尿受皿を洗浄してトイレの適宜箇所で保持するか、あるいは把手部に形成している支持部を便器の周側上面部に支持して、便器の上底部に接地される状態で位置し、その状態で水洗タンク等の洗浄装置からの放水によって洗浄水が便器周壁の流出口から便器に流出して放尿受皿は洗浄されるので、衛生的であり、尿臭が残らない。かつ非放尿時には便器内で保持できるので、使用の際使い勝手がよい。さらにまたこの状態で公知の便座が、あるいは便座および蓋が開閉可能である。【００１０】仮に大便の際に便器の上底部に位置している放尿受皿に大便が付着しても大便時の洗浄装置からの放水によって洗浄水が便器周壁の流出口から流出し、放尿受皿は洗浄される。【００１１】放尿飛散防止具は放尿受皿で放尿を一旦受けるので、尿の変化度合いたとえば血尿、薬品による尿色の変化、風邪による変化等が目視できるので、医学上にも役立つ場合がある。
本考案による放尿飛散防止装置は上記の種々の作用効果があり、実質価値が大である。
【図面の簡単な説明】
【００１２】
【図１】本考案放尿飛散防止具の略平面図。
【図２】図１のＸ−Ｘ拡大断面図。
【図３】本考案放尿飛散防止具の他の実施例の略平面図。
【図４】図３のＸ−Ｘ断面図。
【図５】本考案放尿飛散防止具の使用状態を示す略側面図。
【図６】本考案放尿飛散防止具の非使用状態を示す略側面図。
【図７】図６のＸ−Ｘ拡大要部断面図。
【考案を実施するための形態】
【００１３】本考案について実施例を図面を用いて説明する。
図１、図２において、１は本考案の放尿飛散防止具で合成樹脂製、金属製等からなる成型体である。２は放尿受皿で、便器内に収まる大きさである。該放尿受皿は後端側に受部３を，前端側に排出部４を形成している。図面では前端側の排出部を巾狭に、後端側の受部を巾広に形成しており、略扇形である。しかして巾方向において中央部を低く形成している。さらに受部の両端側に放尿の流出を阻止する起立部５、５を形成している。
【００１４】６は受部の一側に、又は両側に形成している把手部である。図面では平面視右側の一側に把手部を形成している。
把手部は放尿飛散防止具の非使用状態の際に放尿受皿が便器の上底部に位置している状態、つまり上底部に接地状態で、もしくは僅かに浮上している状態で便器の周側上面部に着脱自在に嵌合支持される支持部７を形成している。図面では支持部７は一対の嵌合突起状に形成しているが、これに替えて把手部の下面に粘着層、マジックファスナー等の支持層を、又便器の周側上面部にも前記支持層を設けてもよい。上記の支持状態で放尿受皿が便器の周壁から流出する洗浄水によって洗浄されると共に、便座が開閉可能に構成されている。
８は便器、９は便器の周側上面部である。
【００１５】図３、図４は放尿飛散防止具の他の実施例を示す。起立部５、５を両側に、前端側の排出部４に起立部１０を、後端側の受部に起立部１１を形成し、周囲に起立部を形成している。
１２は排出部に穿孔して下方に向けて形成している排出口である。放尿は排出口から下方に流下する。排出口は筒状でもよい、また排出口を小径口にして受部の中央から前端側に複数個ないし多数個形成してもよい。起立部１０、１１はなくてもよい。
１３はカバー部で起立部の上面、つまり受部の前端側の上面を塞いでいる。上記のほかに放尿受皿の形状は方形、台形、その他形状でもよい。又把手部の形状も持ちやすい形状であればよい。
【００１６】図５は本考案放尿飛散防止具の使用状態の略側面図である。８は便器、８ａは上底部、８ｂは排出溝部、９は周側上面部である。１４は便座、１５は蓋で従来同様便器の周側上面部に開閉可能である。１７は洗浄装置である。
放尿に際して男性１６の起立状態において、右手１６ａで放尿飛散防止具１の把手部６を把手して放尿受皿２を男性器１６ｂの位置、つまり男性の放尿口の下方に排出部が下向き傾斜になるように近接してあてがっている。よって放尿は放尿受皿に放出され排出部から落下して排出溝部に至る。放尿後の尿のしずくも放尿受皿上に滴下するので床面に落ちることがない。
【００１７】図６、図７は放尿飛散防止具の非使用時の略側面図および略断面図を示す。便器８の上底部８ａに放尿受皿２が接地状態で、またはやや浮上状態で位置している。この状態は前記しているが、把手部６に形成している支持部７が便器の周側上面部に着脱自在に支持されることによって行われる。便座１４が把手部を介在した状態で便器の周側上面部を閉じている。１４ａは便座の下方に突出している公知の突起である。
以上本考案放尿飛散防止具の実施例について、使用状態、非使用状態ともに説明しているが、本考案の技術思想を逸脱しない範囲の設計変更は可能である。たとえば把手部の機能は放尿受皿を把手するためのものであり、形状は制限されないことは理解できよう。よって実施例では支持部を把手部の一部に形成しているが，把手部と支持部を別々に放尿受皿に形成することも本考案の構成の一部である。
【符号の説明】
【００１８】１      放尿飛散防止具
２      放尿受皿
３      受部
４      排出部
５      起立部
６      把手部
７      支持部
８      便器
９      周側上面部
１０    起立部
１１    起立部
１２    排出口
１３    カバー部
１４    便座
１４ａ  突起
１５    蓋
１６    男性
１６ａ  右手
１６ｂ  男性器
１７    洗浄装置
【図１】
0003167784.tif 000003
【図２】
0003167784.tif 000004
【図３】
0003167784.tif 000005
【図４】
0003167784.tif 000006
【図５】
0003167784.tif 000007
【図６】
0003167784.tif 000008
【図７】
0003167784.tif 000009